(57)【要約】【課題】複雑な視覚効果を示す画像を高い画質で表示可能とする。【解決手段】本発明の画像表示体２２は、特定の照明条件のもとで第１方向から観察した場合に第１画像を回折像として表示し、この照明条件のもとで第１方向とは異なる第２方向から観察した場合に第１画像を回折像として表示しないか又は第１画像を第１方向から観察した場合と比較してより暗い回折像として表示するレリーフ型の第１回折構造２２４ａと、先の照明条件のもとで第２方向から観察した場合に第１画像とは異なる第２画像を回折像として表示し、この照明条件のもとで第１方向から観察した場合に第２画像を回折像として表示しないか又は第２画像を第２方向から観察した場合と比較してより暗い回折像として表示するレリーフ型の第２回折構造２２４ｂとを具備し、第２回折構造２２４ｂは、光透過性を有しており、第１回折構造２２４ａの前方で第１回折構造２２４ａと少なくとも部分的に向き合っている。【選択図】図３
2011123365.tif 000002
【特許請求の範囲】
【請求項１】
特定の照明条件のもとで第１方向から観察した場合に第１画像を回折像として表示し、前記照明条件のもとで前記第１方向とは異なる第２方向から観察した場合に前記第１画像を回折像として表示しないか又は前記第１画像を前記第１方向から観察した場合と比較してより暗い回折像として表示するレリーフ型の第１回折構造と、
前記照明条件のもとで前記第２方向から観察した場合に前記第１画像とは異なる第２画像を回折像として表示し、前記照明条件のもとで前記第１方向から観察した場合に前記第２画像を回折像として表示しないか又は前記第２画像を前記第２方向から観察した場合と比較してより暗い回折像として表示するレリーフ型の第２回折構造と
を具備し、前記第２回折構造は、光透過性を有しており、前記第１回折構造の前方で前記第１回折構造と少なくとも部分的に向き合っている画像表示体。
【請求項２】
一方の主面に前記第１回折構造が設けられた第１反射層を備え、前記第１画像に対応した形状を有している第１画像表示層と、
一方の主面に前記第２回折構造が設けられ、光透過性を有している第２反射層を備え、前記第２画像に対応した形状を有しており、前記第１画像表示層と少なくとも部分的に重なり合った第２画像表示層と
を具備した請求項１に記載の画像表示体。
【請求項３】
前記第１画像表示層は、各中心が仮想的な平面格子の格子点上に位置している複数の第１ドット状部によって構成されており、前記第２画像表示層は、各中心が仮想的な平面格子の格子点上に位置している複数の第２ドット状部によって構成されており、前記複数の第１ドット状部と前記複数の第２ドット状部とは少なくとも部分的に重なり合った請求項２に記載の画像表示体。
【請求項４】
前記第１画像は、表示色が互いに等しい第１及び第２部分をそれぞれ前記第２画像の輪郭の内側と外側とに含んでおり、前記第１部分に対応した領域では、前記第２部分に対応した領域と比較して、前記第１ドット状部の面密度がより大きい請求項３に記載の画像表示体。
【請求項５】
回折像としての前記第１及び第２画像によって立体画像を表示する請求項１乃至４の何れか１項に記載の画像表示体。
【請求項６】
前記立体画像は個人情報を含んでいる請求項５に記載の画像表示体。
【請求項７】
前記個人情報は顔画像を含んだ請求項６に記載の画像表示体。
【請求項８】
請求項１乃至７の何れか１項に記載の画像表示体と、前記画像表示体を剥離可能に支持した支持体とを具備した転写箔。
【請求項９】
請求項１乃至７の何れか１項に記載の画像表示体と、
前記画像表示体を支持した基材と
を具備した個人認証媒体。
【発明の詳細な説明】
【技術分野】
【０００１】
本発明は、例えば個人認証に利用可能な画像表示技術に関する。
【背景技術】
【０００２】
パスポート及びＩＤ（identification）カードなどの個人認証媒体の多くは、目視による個人認証を可能とするために、顔画像を使用している。
【０００３】
例えば、パスポートでは、従来、顔画像を焼き付けた印画紙を冊子体に貼り付けていた。しかしながら、そのようなパスポートには、写真印画の貼り替えによる改竄のおそれがある。
【０００４】
このような理由で、近年では、顔画像の情報をデジタル化し、これを冊子体上に再現する傾向にある。この画像再現方法としては、例えば、転写リボンを用いた感熱転写記録法が検討されている。
【０００５】
しかしながら、昨今、昇華性染料又は着色した熱可塑性樹脂を使用する感熱転写記録方式のプリンタは広く普及している。この状況を考慮すると、パスポートから顔画像を取り除き、そこに別の顔画像を記録することは、必ずしも困難ではない。
【０００６】
特許文献１には、上述した方法で顔画像を記録し、その上に蛍光インキを用いて顔画像を記録することが記載されている。また、特許文献２には、無色又は淡色の蛍光染料と有色の顔料とを含有したインキを用いて顔画像を記録することが記載されている。更に、特許文献３には、通常の顔画像と、パール顔料を用いて形成した顔画像とを並べて配置することが記載されている。
【０００７】
これら技術をパスポートに適用すると、その改竄がより困難になる。しかしながら、蛍光材料を用いて記録した顔画像は、紫外線ランプなどの特殊な光源を使用しない限り観察することはできない。また、パール顔料を用いて形成した顔画像は、肉眼で視認することはできるものの、パール顔料は粒径が大きいため、これを用いて高精細な画像を形成することは困難である。
【０００８】
特許文献４には、多層膜を転写リボンから基材上へと転写することが記載されている。また、特許文献４には、カラー画像を表示するべく、表示色が異なる多層膜を並置することが記載されている。
【０００９】
通常、多層膜のパターンが表示する画像は、一般に流通している転写リボンを用いて再現することができないのに加え、肉眼で視認することができる。また、多層膜を転写する方法によると、パール顔料を用いた場合と比較して、優れた画質を達成できる。そして、この技術は、画像をオンデマンドで記録するのに適しており、個人情報の記録への応用が期待される。
【先行技術文献】
【特許文献】
【００１０】
【特許文献１】特開２０００−１４１８６３号公報
【特許文献２】特開２００２−２２６７４０号公報
【特許文献３】特開２００３−１７０６８５号公報
【特許文献４】特開平１０−４９６４７号公報
【発明の概要】
【発明が解決しようとする課題】
【００１１】
本発明者らは、より複雑な視覚効果を示す画像を高い画質で表示できれば、不正を抑止する効果が更に向上すると考えている。そこで、本発明は、複雑な視覚効果を示す画像を高い画質で表示可能とすることにある。
【課題を解決するための手段】
【００１２】
本発明の第１側面は、特定の照明条件のもとで第１方向から観察した場合に第１画像を回折像として表示し、前記照明条件のもとで前記第１方向とは異なる第２方向から観察した場合に前記第１画像を回折像として表示しないか又は前記第１画像を前記第１方向から観察した場合と比較してより暗い回折像として表示するレリーフ型の第１回折構造と、
前記照明条件のもとで前記第２方向から観察した場合に前記第１画像とは異なる第２画像を回折像として表示し、前記照明条件のもとで前記第１方向から観察した場合に前記第２画像を回折像として表示しないか又は前記第２画像を前記第２方向から観察した場合と比較してより暗い回折像として表示するレリーフ型の第２回折構造とを具備し、前記第２回折構造は、光透過性を有しており、前記第１回折構造の前方で前記第１回折構造と少なくとも部分的に向き合っている画像表示体である。
【００１３】
本発明の第２側面は、一方の主面に前記第１回折構造が設けられた第１反射層を備え、前記第１画像に対応した形状を有している第１画像表示層と、一方の主面に前記第２回折構造が設けられ、光透過性を有している第２反射層を備え、前記第２画像に対応した形状を有しており、前記第１画像表示層と少なくとも部分的に重なり合った第２画像表示層とを具備した第１側面に係る画像表示体である。
【００１４】
本発明の第３側面は、前記第１画像表示層は、各中心が仮想的な平面格子の格子点上に位置している複数の第１ドット状部によって構成されており、前記第２画像表示層は、各中心が仮想的な平面格子の格子点上に位置している複数の第２ドット状部によって構成されており、前記複数の第１ドット状部と前記複数の第２ドット状部とは少なくとも部分的に重なり合った第２側面に係る画像表示体である。
【００１５】
本発明の第４側面は、前記第１画像は、表示色が互いに等しい第１及び第２部分をそれぞれ前記第２画像の輪郭の内側と外側とに含んでおり、前記第１部分に対応した領域では、前記第２部分に対応した領域と比較して、前記第１ドット状部の面密度がより大きい第３側面に係る画像表示体である。
【００１６】
本発明の第５側面は、回折像としての前記第１及び第２画像によって立体画像を表示する第１乃至第４側面の何れか１つに係る画像表示体である。
【００１７】
本発明の第６側面は、前記立体画像は個人情報を含んでいる第５側面に係る画像表示体である。
【００１８】
本発明の第７側面は、前記個人情報は顔画像を含んだ第６側面に係る画像表示体である。
【００１９】
本発明の第８側面は、第１乃至第７側面の何れか１つに係る画像表示体と、前記画像表示体を剥離可能に支持した支持体とを具備した転写箔である。
【００２０】
本発明の第９側面は、第１乃至第７側面の何れか１つに係る画像表示体と、前記画像表示体を支持した基材とを具備した個人認証媒体である。
【発明の効果】
【００２１】
本発明によると、複雑な視覚効果を示す画像を高い画質で表示することが可能となる。
【００２２】
本発明の第１側面に係る画像表示体は、レリーフ型の第１及び第２回折構造を含んでいる。第１回折構造は、特定の照明条件のもとで第１方向から観察した場合に第１画像を回折像として表示し、この照明条件のもとで第１方向とは異なる第２方向から観察した場合に第１画像を回折像として表示しないか又は第１画像を第１方向から観察した場合と比較してより暗い回折像として表示する。第２回折構造は、先の照明条件のもとで第２方向から観察した場合に第１画像とは異なる第２画像を回折像として表示し、この照明条件のもとで第１方向から観察した場合に第２画像を回折像として表示しないか又は第２画像を第２方向から観察した場合と比較してより暗い回折像として表示する。従って、この画像表示体には、例えば、立体画像を表示させること、又は、観察方向に応じて異なる画像を表示させることができる。即ち、この画像表示体は、複雑な視覚効果を示す。
【００２３】
また、同一平面に第１及び第２回折構造を設ける場合、同一領域に第１及び第２画像の双方を表示させるためには、第１回折構造を多数の第１サブ構造へと分割するとともに、第２回折構造を多数の第２サブ構造へと分割して、それらを交互に並ぶように配置する必要がある。この場合、高い解像度を達成するには、第１及び第２サブ構造を著しく小さくしなければならない。そのような画像表示体は、特に、オンデマンドで画像を記録するプロセスでの製造が難しい。それ故、高解像度を達成することが困難である。
【００２４】
これに対し、第１側面に係る画像表示体では、第２回折構造は、光透過性を有しており、第１回折構造の前方で第１回折構造と少なくとも部分的に向き合っている。この構成を採用した場合、第１及び第２サブ構造を交互に並ぶように配置する必要がない。従って、上述した問題を生じず、比較的容易に高解像度を達成することができる。即ち、高い画質で画像を表示することができる。
【００２５】
本発明の第２側面に係る画像表示体は、第１側面に係る画像表示体について上述した構成を採用しているのに加え、第１画像表示層と、第１画像表示層と少なくとも部分的に重なり合った第２画像表示層とを具備している。第１画像表示層は、一方の主面に第１回折構造が設けられた第１反射層を備え、第１画像に対応した形状を有している。第２画像表示層は、一方の主面に第２回折構造が設けられ、光透過性を有している第２反射層を備え、第２画像に対応した形状を有している。この構成を採用した場合、例えば、転写箔を利用して画像を記録することができる。従って、この構成は、オンデマンドで画像を記録するプロセスに適している。
【００２６】
本発明の第３側面に係る画像表示体は、第２側面に係る画像表示体について上述した構成を採用しているのに加え、第１画像表示層は、各中心が仮想的な平面格子の格子点上に位置している複数の第１ドット状部によって構成されており、第２画像表示層は、各中心が仮想的な平面格子の格子点上に位置している複数の第２ドット状部によって構成されている。そして、複数の第１ドット状部と複数の第２ドット状部とは少なくとも部分的に重なり合っている。この構成は、サーマルヘッドを用いた熱転写によって画像を記録するプロセスに適している。
【００２７】
本発明の第４側面に係る画像表示体は、第３側面に係る画像表示体について上述した構成を採用しているのに加え、第１画像は、表示色が互いに等しい第１及び第２部分をそれぞれ第２画像の輪郭の内側と外側とに含んでいる。そして、第１部分に対応した領域では、第２部分に対応した領域と比較して、第１ドット状部の面密度がより大きい。この構成は、回折像としての第１画像の画質に第２反射層が及ぼす影響を小さくするうえで有利である。
【００２８】
本発明の第５側面に係る画像表示体は、第１側面に係る画像表示体について上述した構成を採用しているのに加え、回折像としての前記第１及び第２画像によって立体画像を表示する。立体画像を表示する画像表示体は偽造が難しい。
【００２９】
本発明の第６側面に係る画像表示体は、第５側面に係る画像表示体について上述した構成を採用しているのに加え、立体画像は個人情報を含んでいる。立体画像が表示する個人情報の改竄は極めて困難である。
【００３０】
本発明の第７側面に係る画像表示体は、第６側面に係る画像表示体について上述した構成を採用しているのに加え、個人情報は顔画像を含んでいる。顔画像は、生体情報として一般的であり、目視による個人認証に適している。
【００３１】
本発明の第８側面に係る転写箔は、第１乃至第７側面の何れか１つに係る画像表示体と、前記画像表示体を剥離可能に支持した支持体とを具備している。このような転写箔の支持体から基材上へと画像表示体を転写した場合、基材上に第１及び第２回折構造の各々を直接形成した場合と比較して、基材の表面の凹凸が画質に及ぼす影響を小さくすることができる。
【００３２】
本発明の第９側面に係る個人認証媒体は、第１乃至第７側面の何れか１つに係る画像表示体を具備している。それ故、この個人認証媒体は、複雑な視覚効果を示す画像を高い画質で表示するのに加え、改竄が困難である。
【図面の簡単な説明】
【００３３】
【図１】本発明の一態様に係る個人認証媒体を概略的に示す平面図。
【図２】図１に示す個人認証媒体の一部を拡大して示す平面図。
【図３】図２に示す個人認証媒体のＩＩＩ−ＩＩＩ線に沿った断面図。
【図４】図２及び図３に示す個人認証媒体の画像表示体が含んでいる回折構造を概略的に示す平面図。
【図５】図２及び図３に示す個人認証媒体の画像表示体が含んでいる他の回折構造を概略的に示す平面図。
【図６】比較例に係る個人認証媒体の一部を拡大して示す平面図。
【図７】図６に示す個人認証媒体のＶＩＩ−ＶＩＩ線に沿った断面図。
【図８】図１乃至図３に示す個人認証媒体の製造に使用可能な二次転写箔の一例を概略的に示す断面図。
【図９】一変形例に係る個人認証媒体の一部を拡大して示す平面図。
【図１０】他の変形例に係る個人認証媒体の一部を拡大して示す断面図。
【発明を実施するための形態】
【００３４】
以下、本発明の態様について、図面を参照しながら詳細に説明する。なお、同様又は類似した機能を発揮する構成要素には全ての図面を通じて同一の参照符号を付し、重複する説明は省略する。
【００３５】
図１は、本発明の一態様に係る個人認証媒体を概略的に示す平面図である。  
図１に示す個人認証媒体１００は、パスポートなどの冊子体である。図１には、開いた状態の冊子体を描いている。
【００３６】
この個人認証媒体１００は、折り丁１と表紙２とを含んでいる。  
折り丁１は、１枚以上の紙片１１からなる。典型的には、紙片１１上には、文字列及び地紋などの印刷パターン１２が設けられている。折り丁１は、１枚の紙片１１を又は複数枚の紙片１１の束を二つ折りにすることによって形成されている。紙片１１は、個人情報が記録されるＩＣ（integrated circuit）チップや、このＩＣチップとの非接触での通信を可能とするアンテナなどを内蔵していてもよい。
【００３７】
表紙２は、二つ折りされている。表紙２と折り丁１とは、冊子体を閉じた状態で折り丁１が表紙２によって挟まれるように重ね合わされており、それらの折り目の位置で綴じ合わせなどによって一体化されている。
【００３８】
表紙２は、個人情報を含んだ画像を表示する。この個人情報は、個人の認証に利用する個人認証情報を含んでいる。この個人情報は、例えば、生体情報と非生体個人情報とに分類することができる。
【００３９】
生体情報は、生体の特徴のうち、その個体に特有なものである。典型的には、生体情報は、光学的手法によって識別可能な特徴である。例えば、生体情報は、顔、指紋、静脈及び虹彩の少なくとも１つの画像又はパターンである。
【００４０】
非生体個人情報は、生体情報以外の個人情報である。例えば、非生体個人情報は、氏名、生年月日、年齢、血液型、性別、国籍、住所、本籍地、電話番号、所属及び身分の少なくとも１つである。非生体個人情報は、タイプ打ちによって入力された文字を含んでいてもよく、署名などの手書きを機械読み取りすることによって入力された文字を含んでいてもよく、それらの双方を含んでいてもよい。
【００４１】
図１において、表紙２は、画像Ｉ１ａ、Ｉ１ｂ、Ｉ２及びＩ３を表示している。  
画像Ｉ１ａ、Ｉ２及びＩ３は、光の吸収を利用して表示される画像である。具体的には、画像Ｉ１ａ、Ｉ２及びＩ３は、白色光で照明し、肉眼で観察した場合に視認可能な画像である。画像Ｉ１ａ、Ｉ２及びＩ３の１つ以上を省略してもよい。
【００４２】
画像Ｉ１ａ、Ｉ２及びＩ３は、例えば、染料及び顔料で構成することができる。この場合、画像Ｉ１ａ、Ｉ２及びＩ３の形成には、サーマルヘッドを用いた熱転写記録法、インクジェット記録法、電子写真法、又はそれらの２つ以上の組み合わせを利用することができる。或いは、画像Ｉ１ａ、Ｉ２及びＩ３は、感熱発色剤を含んだ層を形成し、この層にレーザビームで描画することにより形成することができる。或いは、これら方法の組み合わせを利用することができる。画像Ｉ２及びＩ３の少なくとも一部は、ホットスタンプを用いた熱転写記録法によって形成してもよく、印刷法によって形成してもよく、それらの組み合わせを利用して形成してもよい。
【００４３】
画像Ｉ１ｂは、回折格子及びホログラムなどの回折構造が表示する画像である。画像Ｉ１ｂは、後で詳述するように、例えば、サーマルヘッドを用いた熱転写記録と、ホットスタンプ又は熱ロールを用いた熱転写記録とをこの順に行うことにより形成する。
【００４４】
画像Ｉ１ａ及びＩ１ｂは、同一人物の顔画像を含んでいる。画像Ｉ１ａが含んでいる顔画像と、画像Ｉ１ｂが含んでいる顔画像とは、同一であってもよく、異なっていてもよい。画像Ｉ１ａが含んでいる顔画像と、画像Ｉ１ｂが含んでいる顔画像とは、寸法が等しくてもよく、異なっていてもよい。また、画像Ｉ１ａ及びＩ１ｂの各々は、顔画像の代わりに他の生体情報を含んでいてもよく、顔画像に加えて顔画像以外の生体情報を更に含んでいてもよい。
【００４５】
画像１１ｂは、生体情報の代わりに非生体個人情報を含んでいてもよく、生体情報に加えて非生体個人情報を更に含んでいてもよい。また、画像１１ｂは、個人情報の代わりに非個人情報を含んでいてもよく、個人情報に加えて非個人情報を更に含んでいてもよい。
【００４６】
画像Ｉ２は、非生体個人情報と非個人情報とを含んでいる。画像Ｉ２は、例えば、文字、記号、符号及び標章の１つ以上を構成している。
【００４７】
画像Ｉ３は、地紋である。例えば、画像Ｉ３と画像１１ａ及び１１ｂの少なくとも一方とを組み合わせると、個人認証媒体１００の改竄をより困難にすることができる。
【００４８】
次に、表紙２の構造について、図２乃至図５を参照しながら説明する。  
図２は、図１に示す個人認証媒体の一部を拡大して示す平面図である。図３は、図２に示す個人認証媒体のＩＩＩ−ＩＩＩ線に沿った断面図である。図４は、図２及び図３に示す個人認証媒体の画像表示体が含んでいる回折構造を概略的に示す平面図である。図５は、図２及び図３に示す個人認証媒体の画像表示体が含んでいる他の回折構造を概略的に示す平面図である。
【００４９】
なお、Ｘ方向は画像表示体の表示面に平行な方向であり、Ｙ方向は画像表示体の表示面に平行な方向であり且つＸ方向に対して垂直な方向であり、Ｚ方向はＸ及びＹ方向に対して垂直な方向である。また、図２及び図３に示す構造は、表紙２のうち画像Ｉ１ｂに対応した部分である。
【００５０】
表紙２は、図３に示すように、表紙本体２１と画像表示体２２とを含んでいる。  
表紙本体２１は、個人認証媒体１００の基材であって、典型的には紙片である。表紙本体２１は、単層構造を有していてもよく、多層構造を有していてもよい。表紙本体２１は、個人認証媒体１００を閉じた状態において、折り丁１を挟み込むように二つ折りされている。
【００５１】
画像表示体２２は、多層構造を有している層である。画像表示体２２は、個人認証媒体１００を閉じた状態において折り丁１と向き合う表紙本体２１の主面に貼り付けられている。
【００５２】
画像表示体２２は、画像Ｉ１ａ、Ｉ２及びＩ３の少なくとも一部を表示する画像表示層（図示せず）を含んでいる。この画像表示層が表示する画像は、典型的には画像Ｉ１ａを含んでいる。
【００５３】
この画像表示層は、光の吸収を利用して画像Ｉ１ａ、Ｉ２及びＩ３の少なくとも一部を表示する。この画像表示層は、画像Ｉ１ａ、Ｉ２及びＩ３の少なくとも一部に対応したパターン形状を有している。この画像表示層は、染料及び顔料の少なくとも一方と任意の樹脂とで構成することができる。このような画像表示層は、例えば、サーマルヘッドを用いた熱転写記録法、インクジェット記録法、電子写真法、又はそれらの２つ以上の組み合わせを利用することにより得ることができる。また、この画像表示層の少なくとも一部は、ホットスタンプを用いた熱転写記録法によって形成してもよく、印刷法によって形成してもよく、それらの組み合わせを利用して形成してもよい。
【００５４】
この画像表示層は、パターニングされていなくてもよい。即ち、この画像表示層は、連続膜であってもよい。この場合、画像表示層は、例えば、感熱発色剤を含んだ層を形成し、この層にレーザビームで描画することにより得ることができる。
【００５５】
この画像表示層は、省略することができる。例えば、この画像表示層は、画像表示体２２の構成要素とせずに、表紙本体２１上に設けてもよい。
【００５６】
画像表示体２２は、図３に示すように、画像表示層２２０ａ及び２２０ｂと樹脂層２２５と保護層２２７とを更に含んでいる。
【００５７】
画像表示層２２０ａは、パターンを形成している。画像表示層２２０ａは、特定の照明条件のもとで第１方向から観察した場合に、第１画像を回折像として表示する。そして、画像表示層２２０ａは、先の照明条件のもとで第１方向とは異なる第２方向から観察した場合に、第１画像を回折像として表示しないか、又は、第１画像を第１方向から観察した場合と比較してより暗い回折像として表示する。ここでは、画像表示層２２０ａが回折像として表示する第１画像は、画像Ｉ１ｂの右眼用視差画像であるとする。
【００５８】
画像表示層２２０ａは、回折構造形成層２２３ａと反射層２２４ａと樹脂層２２５ａと保護層２２７ａとを含んでいる。
【００５９】
回折構造形成層２２３ａは、光透過性、特には可視光透過性を有しており、典型的には透明層である。回折構造形成層２２３ａの一方の主面には、レリーフ型の回折構造として回折格子が設けられている。この回折構造は、図４に示すように、回折構造形成層２２３ａの一方の主面に設けられた複数の溝Ｇａからなる。溝Ｇａは、同一の形状を有しており、一定のピッチで互いに平行に配列している。溝Ｇａの長さ方向は、Ｘ方向に対して反時計回りに傾いている。なお、図４に示す例では、溝Ｇａは円弧状に湾曲しているが、溝Ｇａは湾曲していなくてもよい。
【００６０】
回折構造形成層２２３ａの材料としては、例えば、ポリウレタン樹脂、ポリカーボネート樹脂、ポリスチレン樹脂及びポリ塩化ビニル樹脂などの熱可塑性樹脂、不飽和ポリエステル樹脂、メラミン樹脂、エポキシ樹脂、ウレタンアクリレート、ウレタンメタクリレート、ポリオールアクリレート、ポリオールメタクリレート、メラミンアクリレート、メラミンメタクリレート、トリアジンアクリレート及びトリアジンメタアクリレートなどの熱硬化性樹脂、これらの混合物、又はラジカル重合性不飽和基を有する熱成形性材料を使用することができる。回折構造形成層２２３ａは、光硬化性を有している樹脂を使用して形成してもよい。なお、このような透明樹脂を用いて得られる回折構造形成層２２３ａは、典型的には、波長が５５０ｎｍの光に対する屈折率が１．３乃至１．７の範囲内にある。
【００６１】
反射層２２４ａは、表紙本体２１と回折構造形成層２２３ａとの間に介在している。反射層２２４ａは、回折構造形成層２２３ａ上に形成されている。反射層２２４ａは、回折構造形成層２２３ａのレリーフ構造が設けられた面の少なくとも一部を被覆している。
【００６２】
反射層２２４ａとしては、例えば、透明反射層又は不透明な反射層を使用することができる。そのような反射層２２４ａは、例えば、真空蒸着やスパッタリングなどの真空成膜法によって形成することができる。反射層２２４ａが樹脂を含んでいる場合、反射層２２４ａは、塗布又は印刷を利用して形成してもよい。
【００６３】
反射層２２４ａとして透明反射層を使用すると、反射層２２４ａの背面側に絵柄及び文字等のパターンを配置した場合であっても、これを画像表示体２２の前面側から視認することができる。
【００６４】
透明反射層は、単層構造を有していてもよく、多層構造を有していてもよい。後者の場合、透明反射層は、繰り返し反射干渉を生じるように設計されていてもよい。透明反射層の材料としては、例えば、硫化亜鉛及び二酸化チタンなどの透明誘電体を使用することができる。
【００６５】
透明誘電体からなる単層構造の透明反射層は、回折構造形成層２２３ａとは屈折率が異なっている。典型的には、透明誘電体からなる単層構造の透明反射層は、回折構造形成層２２３ａと比較して、波長が５５０ｎｍの光に対する屈折率がより大きい。
【００６６】
透明誘電体からなる多層構造の透明反射層は、その回折構造形成層２２３ａと接触している部分が、回折構造形成層２２３ａとは異なる屈折率を有している。透明誘電体からなる多層構造の透明反射層は、典型的には、回折構造形成層２２３ａに最も近い層の上述した波長の光に対する屈折率が、回折構造形成層２２３のこの波長の光に対する屈折率と比較してより大きい。
【００６７】
透明反射層として金属層を使用してもよい。金属層の材料としては、例えば、アルミニウム、錫、銅、銀、金、鉄、クロム、ニッケル及び銅などの単体金属又はそれらの合金を使用することができる。金属層は、厚い場合には遮光性であるが、薄くすると透明になる。例えば、厚さが２０乃至４０ｎｍの範囲内にあるアルミニウム層の場合、或る観察条件のもとでは金属光沢を観察できるが、観察角度を変更するとその背景が透けて見える。
【００６８】
透明反射層として、より厚い金属層を使用することも可能である。例えば、比較的厚い金属層を形成し、これに肉眼での識別が困難な径又は幅の開口を多数設ける。例えば、この金属層を、網点又は万線状にパターニングする。これにより、金属材料からなる透明反射層を得ることができる。
【００６９】
不透明な金属反射層の材料としては、例えば、透明反射層としての金属層に関して上述した材料を使用することができる。不透明な金属反射層は、典型的には、肉眼での識別が困難な径又は幅の開口は設けられておらず、光を遮るのに十分な厚さを有している。
【００７０】
透明反射層又は不透明な反射層として、透明樹脂とこの中で分散した粒子とを含んだ層を使用してもよい。この粒子としては、例えば、単体金属及び合金などの金属材料からなる粒子、又は、透明金属酸化物及び透明樹脂などの透明誘電体からなる粒子を使用することができる。透明樹脂中には、粒子を分散させる代わりに、薄片を分散させてもよい。
【００７１】
樹脂層２２５ａは、反射層２２４ａ上に形成されている。樹脂層２２５ａは、省略することができる。
【００７２】
樹脂層２２５ａは、例えば熱可塑性樹脂からなる。樹脂層２２５ａの材料としては、例えば、ウレタン樹脂、ブチラール樹脂、ポリエステル樹脂、ポリ塩化ビニル及び塩化ビニル−酢酸ビニル共重合体などの塩化ビニル系樹脂、ポリウレタン樹脂、エポキシ樹脂、塩素化ポリプロピレン、アクリル樹脂、ポリスチレン、ポリビニルベンゼン、スチレン−ブタジエン共重合樹脂、スチレンとメタクリル酸アルキル（但し、アルキル基の炭素数は２乃至６）とから得られるポリビニル樹脂などのビニル樹脂、ゴム系材料、又は、これらの２種以上を含んだ混合物を使用することができる。
【００７３】
樹脂層２２５ａには、ワックス、ステアリン酸などの高級脂肪酸、その金属塩及びエステル、可塑剤、ポリテトラフルオロエチレン、ポリエチレン、シリコーン樹脂及びポリアクリロニトリルなどの有機材料からなる有機フィラー、並びにシリカからなどの無機材料からなる無機フィラーの１つ以上を添加してもよい。
【００７４】
保護層２２７ａは、表紙本体２１と回折構造形成層２２３ａとの間に介在している。保護層２２７ａは、省略することができる。
【００７５】
保護層２２７ａは、例えば、熱可塑性樹脂、熱硬化性樹脂、及び紫外線又は電子線硬化樹脂などの樹脂からなる。転写箔を利用して画像表示層２２０ａのパターンを形成する場合は、柔軟性及び箔切れ性の観点で熱可塑性樹脂を使用することが好ましい。
【００７６】
この熱可塑性樹脂としては、例えば、ポリアクリル酸エステル樹脂、塩化ゴム系樹脂、塩化ビニル−酢酸ビニル共重合樹脂、セルロース系樹脂、塩素化ポリプロピレン系樹脂、エポキシ樹脂、ポリエステル樹脂、ニトロセルロース系樹脂、スリレンアクリレート系樹脂、ポリエーテル系樹脂、ポリカーボネート系樹脂、又はそれらの混合物を使用することができる。箔切れ性や耐摩性を考慮して、この樹脂に、石油系ワックス及び植物系ワックスなどのワックス、ステアリン酸などの高級脂肪酸、その金属塩、エステル及びシリコーンオイルなどの滑材、ポリテトラフルオロエチレン、ポリエチレン、シリコーン樹脂及びポリアクリロニトリルなどの有機材料からなる有機フィラー、並びにシリカからなどの無機材料からなる無機フィラーの１つ以上を添加してもよい。
【００７７】
画像表示層２２０ｂは、パターンを形成しており、画像表示層２２０ａと少なくとも部分的に重なり合っている。ここでは、画像表示層２２０ｂは、画像表示層２２０ａの前方で、画像表示層２２０ａと部分的に重なり合っている。
【００７８】
画像表示層２２０ｂは、上記の照明条件のもとで第２方向から観察した場合に、第１画像とは異なる第２画像を回折像として表示する。そして、画像表示層２２０ｂは、この照明条件のもとで第１方向から観察した場合に、第２画像を回折像として表示しないか、又は、第２画像を第２方向から観察した場合と比較してより暗い回折像として表示する。ここでは、画像表示層２２０ｂが回折像として表示する第２画像は、画像Ｉ１ｂの左眼用視差画像であるとする。
【００７９】
なお、右眼用の視差画像と左眼用の視差画像とは、例えば、同一の被写体を異なる位置から同時に撮影することによって得られる画像である。観察者は、右眼用の視差画像と左眼用の視差画像とをそれぞれ右眼及び左眼で観察することにより立体画像を知覚する。
【００８０】
画像表示層２２０ｂは、回折構造形成層２２３ｂと反射層２２４ｂと樹脂層２２５ｂと保護層２２７ｂとを含んでいる。
【００８１】
回折構造形成層２２３ｂは、光透過性、特には可視光透過性を有しており、典型的には透明である。回折構造形成層２２３ｂの一方の主面には、レリーフ型の回折構造として回折格子が設けられている。この回折構造は、図５に示すように、回折構造形成層２２３ｂの一方の主面に設けられた複数の溝Ｇｂからなる。溝Ｇｂは、同一の形状を有しており、一定のピッチで互いに平行に配列している。溝Ｇｂの長さ方向は、Ｘ方向に対して時計回りに傾いている。なお、図５に示す例では、溝Ｇｂは円弧状に湾曲しているが、溝Ｇｂは湾曲していなくてもよい。回折構造形成層２２３ａの材料としては、例えば、回折構造形成層２２３ａについて上述したものを使用することができる。
【００８２】
反射層２２４ｂは、表紙本体２１と回折構造形成層２２３ｂとの間に介在している。反射層２２４ｂは、回折構造形成層２２３ｂ上に形成されている。反射層２２４ｂは、回折構造形成層２２３ｂのレリーフ構造が設けられた面の少なくとも一部を被覆している。
【００８３】
反射層２２４ｂは、光透過性を有している。反射層２２４ｂとしては、例えば、反射層２２４ａについて上述した透明反射層を使用することができる。
【００８４】
樹脂層２２５ｂは、反射層２２４ｂ上に形成されている。樹脂層２２５ｂの材料としては、例えば、樹脂層２２５ａについて上述したものを使用することができる。樹脂層２２５ｂは、省略することができる。
【００８５】
保護層２２７ｂは、表紙本体２１と回折構造形成層２２３ｂとの間に介在している。保護層２２７ｂの材料としては、例えば、保護層２２７ａについて上述したものを使用することができる。保護層２２７ｂは、省略することができる。
【００８６】
樹脂層２２５は、表紙本体２１と画像表示層２２０ａ及び２２０ｂとを被覆している。樹脂層２２５は、光透過性を有しており、典型的には透明である。樹脂層２２５は、例えば熱可塑性樹脂からなる。樹脂層２２５は、省略することができる。
【００８７】
保護層２２７は、樹脂層２２５上に設けられている。保護層２２７は、光透過性を有しており、典型的には透明である。保護層２２７は、例えばアクリル、ポリエチレン、ポリエステル等の樹脂からなる。
【００８８】
画像表示層２２０ａ及び２２０ｂは、ほぼ同じ明るさの視差画像を表示するように設計する。例えば、反射層２２４ａ及び２２４ｂの反射率又は透過率を適宜設定することにより、画像表示層２２０ａが表示する視差画像と画像表示層２２０ｂが表示する視差画像とで明るさをほぼ等しくすることができる。
【００８９】
この画像表示体２２は、上述したように、画像Ｉ１ｂとして立体画像を表示する。即ち、この画像表示体２２は、複雑な視覚効果を示す。
【００９０】
また、画像表示体２２に関して上述した構成を採用すると、比較的容易に高解像度を達成することができる。これについて、図２、図３、図６及び図７を参照しながら説明する。
【００９１】
図６は、比較例に係る個人認証媒体の一部を拡大して示す平面図である。図７は、図６に示す個人認証媒体のＶＩＩ−ＶＩＩ線に沿った断面図である。
【００９２】
図６及び図７に示す構造では、画像表示層２２０ａ及び２２０ｂを積層することなしに、画像表示層２２０ａと画像表示層２２０ｂとを並置している。具体的には、画像表示層２２０ａ用の列と画像表示層２２０ｂ用の列とをＸ方向に交互に並べ、画像表示層２２０ａ及び画像表示層２２０ｂを、それぞれ、画像表示層２２０ａ用の列及び画像表示層２２０ｂ用の列に配置している。
【００９３】
この構造を採用した場合、高い解像度を達成するには、画像表示層２２０ａ及び２２０ｂの各々を構成しているドット状部を著しく小さくしなければならない。そのような画像表示体２２は、特に、オンデマンドで画像を記録するプロセスでの製造が難しい。それ故、高解像度を達成することが困難である。
【００９４】
これに対し、図２及び図３に示す構造を採用した場合には、画像表示層２２０ａ及び２２０ｂの各々を構成しているドット状部を過剰に小さくすることなしに高い解像度を達成することができる。例えば、図２及び３に示す構造と図６及び図７に示す構造との間で画像表示層２２０ａ及び２２０ｂの各々の寸法が等しいとすると、図２及び３に示す構造を採用した場合、図６及び図７に示す構造を採用した場合に対して２倍の解像度を達成できる。それ故、図２及び図３に示す構造を採用した場合、上述した問題を生じず、比較的容易に高解像度を達成することができる。即ち、高い画質で画像を表示することができる。
【００９５】
次に、図８を参照しながら、個人認証媒体１００の製造方法を説明する。  
図８は、図１乃至図３に示す個人認証媒体の製造に使用可能な二次転写箔の一例を概略的に示す断面図である。
【００９６】
図８に示す転写箔２０２は、例えば転写リボンである。転写箔２０２は、支持体２２６と、支持体２２６によって剥離可能に支持された転写材層２２’とを含んでいる。
【００９７】
支持体２２６は、例えば樹脂フィルム又はシートである。支持体２２６は、例えば、ポリエチレンテレフタレートなどの耐熱性に優れた材料からなる。支持体２２６の転写材層２２’を支持している主面には、例えばフッ素樹脂又はシリコーン樹脂を含んだ離型層が設けられていてもよい。
【００９８】
転写材層２２’は、剥離保護層２２７’と樹脂層２２５’と画像表示層２２０ａ及び２２０ｂとを含んでいる。
【００９９】
剥離保護層２２７’は、転写剤層２２’の支持体２２６からの剥離を安定化すると共に、画像表示層２２０ａ及び２２０ｂを損傷から保護する役割を果たす。剥離保護層２２７’の一部又は全部を、図３に示す保護層２２７として使用する。樹脂層２２５’が剥離層の機能を有している場合は、剥離保護層２２７’は省略することができる。
【０１００】
樹脂層２２５’は、剥離保護層２２７’上に形成されている。樹脂層２２５’は、転写剤層２２’に十分な強度を与える役割を果たす。樹脂層２２５’の材料としては、例えば、熱硬化性樹脂、光硬化性樹脂及び熱可塑性樹脂を使用することができる。熱硬化性樹脂を使用すると、この樹脂層２２５’の一部又は全部を、図３に示す樹脂層２２５として使用することができる。
【０１０１】
樹脂層２２５’上には、画像表示層２２０ｂと画像表示層２２０ａとがこの順に積層されている。画像表示層２２０ａ及び２２０ｂの各々は、例えば、別途用意した転写箔の支持体から、この支持体によって剥離可能に支持された転写材層の一部を、サーマルヘッドを用いて樹脂層２２５’上へと熱転写することによって形成する。
【０１０２】
このようにして得られる画像表示層２２０ａ及び２２０ｂは、サーマルヘッドを利用した熱転写によって形成するので、典型的には、図２及び図３に示すように複数のドット状部からなる。画像表示層２２０ａを構成しているドット状部の各中心は、仮想的な平面格子の格子点上に位置している。同様に、画像表示層２２０ｂを構成しているドット状部の各中心は、仮想的な平面格子の格子点上に位置している。
【０１０３】
なお、図２に示す配置では、先の平面格子は正方格子であるが、この平面格子は、三角格子及び矩形格子などの他の格子であってもよい。また、図２では、画像表示層２２０ａを構成しているドット状部の中心が格子点上に位置している仮想的な平面格子と、画像表示層２２０ｂを構成しているドット状部の中心が格子点上に位置している仮想的な平面格子とは同一であるが、それらは異なっていてもよい。例えば、それら平面格子は、それらの格子点が互いから離間していてもよい。
【０１０４】
また、図２では、画像表示層２２０ａ及び２２０ｂの各々について、隣り合ったドット状部は、それらの輪郭が１点で接するように配置されている。即ち、各ドット状部の径は、ドット状部の最小中心間距離と等しい。隣り合ったドット状部は、互いから離間していてもよい。即ち、各ドット状部の径は、ドット状部の最小中心間距離と比較してより小さくてもよい。或いは、隣接したドット状部は、部分的に重なり合っているが如く配置されていてもよい。即ち、各ドット状部の径は、ドット状部の最小中心間距離と比較してより大きくてもよい。
【０１０５】
ドット状部の径又はドット状部の最小中心間距離は、例えば０．０８５乃至０．５０８ｍｍ（約３００乃至約５０ ｄｏｔｓ ｐｅｒ ｉｎｃｈ）の範囲内とする。画像表示層２２０ａ及び２２０ｂに顔画像を表示させる場合には、ドット状部の径又はドット状部の最小中心間距離は、例えば０．０８５乃至０．１６９ｍｍ（約３００乃至約１５０ ｄｏｔｓ ｐｅｒ ｉｎｃｈ）の範囲内とする。この寸法を大きくすると、画像表示層２２０ａ及び２２０ｂに高精細な画像を表示させることが難しくなる。この寸法を小さくすると、画像表示層２２０ａ及び２２０ｂのパターン形状の再現性が低下する。
【０１０６】
樹脂層２２５’上に又は剥離保護層２２７’と樹脂層２２５’との間には、図１に示す画像Ｉ１ａ及びＩ２を表示する画像表示層（図示せず）を更に形成する。この画像表示層を樹脂層２２５’上に形成する場合、この画像表示層は、樹脂層２２５’上に画像表示層２２０ｂを形成する前に形成してもよく、樹脂層２２５’上に画像表示層２２０ｂを形成した後であって画像表示層２２０ａを形成する前に形成してもよく、樹脂層２２５’上に画像表示層２２０ａを形成した後に形成してもよい。
【０１０７】
図１に示す画像Ｉ１ａ及びＩ２を表示する画像表示層を熱転写法によって形成する場合、昇華転写方式を採用してもよく、溶融転写方式を採用してもよく、それらの双方を採用してもよい。画像Ｉ１ａ及びＩ２は、モノクロ画像であってもよく、カラー画像であってもよい。後者の場合、これら画像Ｉ１ａ及びＩ２を表示する画像表示層は、例えば、１つ以上のインクリボンを用いて、例えば、イエロー、マゼンタ、シアン及びブラックの４色の着色層を形成するか、又は、赤、緑及び青の３色の着色層を形成することにより得られる。
【０１０８】
樹脂層２２５’上に又は剥離保護層２２７’と樹脂層２２５’との間には、図１に示す画像Ｉ３を表示する層（図示せず）を更に形成してもよい。画像Ｉ３を表示する層を樹脂層２２５’上に形成する場合、この層は、樹脂層２２５’上に画像表示層２２０ｂを形成する前に形成してもよく、樹脂層２２５’上に画像表示層２２０ｂを形成した後であって画像表示層２２０ａを形成する前に形成してもよく、樹脂層２２５’上に画像表示層２２０ａを形成した後に形成してもよい。或いは、画像Ｉ３を表示する層は、樹脂層２２５’上に又は剥離保護層２２７’と樹脂層２２５’との間に形成する代わりに、表紙本体２１上に形成してもよい。画像Ｉ３を表示する層は、例えば、画像Ｉ１ａ及びＩ２を表示する画像表示層に関して説明したのと同様の方法により形成することができる。
【０１０９】
次に、支持体２２６上に形成した転写材層２２’のうち画像表示体２２として使用する部分を、支持体２２６から図３に示す表紙本体２１上へと熱転写する。この熱転写には、例えばホットスタンプを利用する。なお、ホットスタンプを利用した熱転写の代わりに、熱ロール又はサーマルヘッドを利用した熱転写を行ってもよい。以上のようにして、表紙本体２１に画像表示体２２を貼り付ける。
【０１１０】
表紙本体２１上には、上述のように、画像Ｉ３を表示する層を形成しておいてもよい。また、表紙本体２１上には、接着強さを高めるために、接着アンカー層を形成しておいてもよい。
【０１１１】
画像表示体２２を表紙本体２１に高い接着強さで接着させることが難しい場合、転写材層２２’のうち画像表示体２２として使用する部分は、接着層を介して、表紙本体２１上へと熱転写してもよい。例えば、接着リボンを使用してもよい。これを使用すると、画像表示体２２と表紙本体２１との接着強さを高めることができる。なお、この方法によると、画像表示体２２と表紙本体２１との間に接着層が介在した構造が得られる。
【０１１２】
画像表示体２２を表紙本体２１に高い接着強さで接着させることが難しい場合であって、画像Ｉ１ａ及びＩ２を表示する画像表示層を画像表示層２２０ａ及び２２０ｂの形成後に形成するときには、接着リボンの機能を追加したインクリボンを使用してもよい。こうすると、インクリボンとは別に接着リボンを使用する必要がなくなる。
【０１１３】
また、図１に示す画像Ｉ１ａ、Ｉ２及びＩ３を表示する層は、画像表示体２２を表紙本体２１に接着した後に保護層２２７上に設けてもよい。
【０１１４】
以上のようにして画像表示体２２を表紙本体２１上に熱転写した後、必要な工程を適宜実施する。このようにして、図１乃至図５を参照しながら説明した個人認証媒体１００を得る。
【０１１５】
この方法では、サーマルヘッドを利用した熱転写によって画像表示層２２０ａ及び２２０ｂを形成する。サーマルヘッドを利用した場合に達成され得る精細度は、パール顔料を印刷する場合に達成され得る精細度よりも高い。
【０１１６】
また、サーマルヘッドを利用した熱転写によって画像表示層２２０ａ及び２２０ｂを表紙本体２１上に直接形成した場合、表紙本体２１の表面粗さなどに起因して、高画質を達成することは難しい。これに対し、上述した方法では、画像表示層２２０ａ及び２２０ｂは、表紙本体２１上に直接形成しない。即ち、この方法では、まず、剥離保護層２２７’上に形成し、その後、剥離保護層２２７’と共に表紙本体２１上へと転写する。それ故、表紙本体２１の表面粗さなどが画質に大きな影響を及ぼすことはない。
【０１１７】
従って、この方法によると、画像表示層２２０ａ及び２２０ｂに、優れた画質の画像を表示させることが可能となる。
【０１１８】
また、この画像表示体２２は、個人情報の一部を、ホログラム及び／又は回折格子を用いて表示する。ホログラム及び／又は回折格子が表示する個人情報、特には生体情報の改竄は極めて困難である。
【０１１９】
そして、この方法では、画像表示体２２は、熱転写によって表紙本体２１に支持させる。そのような画像表示体２２は、表紙本体２１から剥離しようとすると、容易に破壊される。  
それ故、この個人認証媒体１００は、改竄が困難である。
【０１２０】
上述した画像表示体２２には、様々な変形が可能である。  
図９は、一変形例に係る個人認証媒体の一部を拡大して示す平面図である。図１０は、他の変形例に係る個人認証媒体の一部を拡大して示す断面図である。
【０１２１】
図１乃至図５を参照しながら説明した画像表示体２２では、画像表示層２２０ａが表示する視差画像が、互いに等しい色を表示すべき第１及び第２部分を、それぞれ、画像表示層２２０ｂが表示する視差画像の輪郭の内側と外側とに含んでいる場合、第１部分の明るさは画像表示層２２０ｂの影響を受ける。即ち、画像表示層２２０ａのうち画像表示層２２０ｂの後方に位置した部分への照明光の入射及びこの部分からの回折光の射出は、反射層２２４ｂによって妨げられる。そのため、第１部分は、第２部分と比較して暗く見えることがある。
【０１２２】
図９に示す構造では、画像表示層２２０ａのドット状部のうち、前方に画像表示層２２０ｂのドット状部が位置しているものの面密度が、前方に画像表示層２２０ｂのドット状部が位置していないものの面密度と比較して大きい。ここでは、画像表示層２２０ａのドット状部のうち、前方に画像表示層２２０ｂのドット状部が位置しているものの面積が、前方に画像表示層２２０ｂのドット状部が位置していないものの面積と比較して大きい。この構造を採用した場合、それらの比を適宜設定することにより、互いに等しい色を表示すべき部分が異なる明るさに見えるのを防止することができる。即ち、この構成は、画像表示層２２０ａが表示する画像の画質に反射層２２４ｂが及ぼす影響を小さくするうえで有利である。
【０１２３】
また、図１０に示す構造では、画像表示層２２０ａのドット状部のうち、前方に画像表示層２２０ｂのドット状部が位置していないものの上に、輝度調整層２２０ｃを配置している。
【０１２４】
輝度調整層２２０ｃは、回折構造が設けられていないこと以外は画像表示層２２０ｂと同様である。具体的には、輝度調整層２２０ｃは、下地層２２３ｃと反射層２２４ｃと樹脂層２２５ｃと保護層２２７ｃとを含んでいる。
【０１２５】
下地層２２３ｃは、例えば、回折構造形成層２２３ａについて上述したのと同様の材料からなる。典型的には、下地層２２３ｃの反射層２２４ｃ側の表面は平坦である。
【０１２６】
反射層２２４ｃは、下地層２２３ｃの一方の主面を被覆している。反射層２２４ｃは、光透過性を有している。反射層２２４ｃとしては、例えば、反射層２２４ａについて上述した透明反射層を使用することができる。
【０１２７】
樹脂層２２５ｃは、反射層２２４ｃ上に形成されている。樹脂層２２５ｃは、樹脂層２２５ｃの材料としては、例えば、樹脂層２２５ａについて上述したものを使用することができる。樹脂層２２５ｃは、省略することができる。
【０１２８】
保護層２２７ｃは、表紙本体２１と下地層２２３ｃとの間に介在している。保護層２２７ｃの材料としては、例えば、保護層２２７ａについて上述したものを使用することができる。保護層２２７ｃは、省略することができる。
【０１２９】
図１０に示す構造を採用した場合、輝度調整層２２０ｃの透過率と画像表示層２２０ｂの透過率とをほぼ一致させることにより、互いに等しい色を表示すべき部分が異なる明るさに見えるのを防止することができる。即ち、この構成も、画像表示層２２０ａが表示する画像の画質に反射層２２４ｂが及ぼす影響を小さくするうえで有利である。
【０１３０】
ここでは、画像表示層２２０ａに右眼用の視差画像を表示させ、画像表示層２２０ｂに左眼用の視差画像を表示させる構成を採用したが、画像表示層２２０ａに左眼用の視差画像を表示させ、画像表示層２２０ｂに右眼用の視差画像を表示させる構成を採用してもよい。また、ここでは、画像表示層２２０ａと画像表示層２２０ｂとを設けて２つの視差画像を表示する構成を採用したが、互いに異なる視差画像を表示する３つ以上の画像表示層を設けてもよい。即ち、観察角度を変化させることによって、立体画像の見え方が、被写体を実際に観察しているが如く変化する構成を採用してもよい。この場合、それら画像表示層の全てを重ね合わせてもよく、一部のみを重ね合わせてもよい。
【０１３１】
画像表示層２２０ａ及び２２０ｂにモノクロ画像を表示させる代わりに、それらにカラー画像を表示させてもよい。例えば、画像表示層２２０ａ及び２２０ｂの各々を、表示色が赤、緑及び青色の３種のドット状部で構成してもよい。この場合、画像表示層２２０ａ及び２２０ｂは、表示色が同一のドット状部が重なり合うように配置してもよく、表示色が異なるドット状部が重なり合うように配置してもよい。
【０１３２】
画像表示層２２０ａ及び２２０ｂが重なり合った位置では、画像表示層２２０ｂが入射光の一部を回折する。そのため、画像表示層２２０ａ及び２２０ｂが重なり合った位置では、画像表示層２２０ａには、先の回折光と波長が等しい光は、画像表示層２２０ａ及び２２０ｂが重なり合っていない位置と比較して低い強度で入射する。従って、画像表示層２２０ａ及び２２０ｂを、表示色が同一のドット状部が重なり合うように配置した場合、画像表示層２２０ａが表示する画像の明るさに画像表示層２２０ｂが影響を及ぼす。
【０１３３】
画像表示層２２０ａ及び２２０ｂを、表示色が異なるドット状部が重なり合うように配置した場合、画像表示層２２０ａ及び２２０ｂが重なり合った位置では、画像表示層２２０ａは、画像表示層２２０ｂが回折した光とは異なる波長の光を表示に利用する。それ故、この構成を採用すると、画像表示層２２０ａが表示する画像の明るさに画像表示層２２０ｂが及ぼす影響を小さくすることができる。
【０１３４】
以上、パスポートとしての個人認証媒体１００を例示したが、個人認証媒体１００について上述した技術は、他の個人認証媒体に適用することも可能である。例えば、この技術は、査証やＩＤカードなどの各種カードに適用することも可能である。
【０１３５】
画像表示体２２を貼り付ける基材の材質は、紙以外であってもよい。例えば、画像表示体２２を貼り付ける基材は、プラスチック基板、金属基板、セラミックス基板、又はガラス基板であってもよい。
【０１３６】
画像表示層２２０ａに表示させる画像は、顔画像に加えて他の生体情報を含んでいてもよく、顔画像の代わりに他の生体情報を含んでいてもよい。また、画像表示層２２０ａに表示させる画像は、生体情報に加えて非生体個人情報及び非個人情報の少なくとも一方を含んでいてもよく、生体情報の代わりに非生体個人情報及び非個人情報の少なくとも一方を含んでいてもよい。
【０１３７】
画像表示層２２０ａ及び２２０ｂに立体画像を表示させる代わりに、それらに互いに異なる平面画像を表示させてもよい。即ち、先の画像表示体２２には、観察角度に応じて表示画像が切り替わる構成を採用してもよい。
【符号の説明】
【０１３８】
１…折り丁、２…表紙、１１…紙片、２１…表紙本体、２２…画像表示体、２２’…転写材層、１００…個人認証媒体、２０２…転写箔、２２０ａ…画像表示層、２２０ｂ…画像表示層、２２０ｃ…輝度調整層、２２３ａ…回折構造形成層、２２３ｂ…回折構造形成層、２２３ｃ…下地層、２２４ａ…反射層、２２４ｂ…反射層、２２４ｃ…反射層、２２５…樹脂層、２２５ａ…樹脂層、２２５ｂ…樹脂層、２２５ｃ…樹脂層、２２６…支持体、２２７…保護層、２２７’…剥離保護層、２２７ａ…保護層、２２７ｂ…保護層、２２７ｃ…保護層、Ｇａ…溝、Ｇｂ…溝、Ｉ１ａ…画像、Ｉ１ｂ…画像、Ｉ２…画像、Ｉ３…画像。
【図１】
2011123365.tif 000003
【図２】
2011123365.tif 000004
【図３】
2011123365.tif 000005
【図４】
2011123365.tif 000006
【図５】
2011123365.tif 000007
【図６】
2011123365.tif 000008
【図７】
2011123365.tif 000009
【図８】
2011123365.tif 000010
【図９】
2011123365.tif 000011
【図１０】
2011123365.tif 000012